(57)【要約】【課題】連続的な選択反応が求められる場合における被験者の動作をより精度よく評価することが可能な評価システムを提供する。【解決手段】評価システムは、被験者が出発地点から複数の目標地点にそれぞれ到達するまでの複数の経路上に存在する複数の分岐点にそれぞれ配置される複数の報知装置と、評価装置とを備える。評価装置は、複数の経路のうちから１つの経路を選択する選択部と、選択された経路に従って被験者が進行するように、複数の報知装置の各々に対して、当該報知装置が配置された分岐点から分岐する複数の分岐路のうちのいずれかの分岐路への進行を報知するように指示する指示部と、出発地点から、選択された経路に対応する目標地点に到達するまでの所要時間を計測する計測部と、計測部の計測結果に基づいて、被験者の動作を評価する評価部とを含む。【選択図】図１０
2019025119.tif 000002
【特許請求の範囲】
【請求項１】
被験者の動作を評価するための評価システムであって、
前記被験者が出発地点から複数の目標地点にそれぞれ到達するまでの複数の経路上に存在する複数の分岐点にそれぞれ配置される複数の報知装置と、
前記複数の報知装置と通信可能に構成された評価装置とを備え、
前記評価装置は、
前記複数の経路のうちから１つの経路を選択する選択部と、
前記選択された経路に従って前記被験者が進行するように、前記複数の報知装置の各々に対して、当該報知装置が配置された分岐点から分岐する複数の分岐路のうちのいずれかの分岐路への進行を報知するように指示する指示部と、
前記出発地点から、前記選択された経路に対応する目標地点に到達するまでの所要時間を計測する計測部と、
前記計測部の計測結果に基づいて、前記被験者の動作を評価する評価部とを含む、評価システム。
【請求項２】
前記計測部は、
前記複数の経路の各々について、当該経路が前記被験者に対して予め通知されていない状態において当該経路の所要時間を計測し、
前記複数の経路の各々について、当該経路が前記被験者に対して予め通知された状態において当該経路の所要時間を計測し、
前記評価部は、前記予め通知されていない状態において計測された各経路の所要時間の平均値と、前記予め通知された状態において計測された各経路の所要時間の平均値との差分に基づいて、前記被験者の動作を評価する、請求項１に記載の評価システム。
【請求項３】
前記評価部は、前記複数の経路の各々の所要時間に基づいて、前記被験者が得意とする経路および不得意とする経路の少なくとも一方を判定する、請求項１または２に記載の評価システム。
【請求項４】
前記複数の報知装置のうちの第１報知装置は、前記出発地点を含む共通路を、第１分岐路および第２分岐路に分岐する第１分岐点に配置され、前記被験者に対して前記第１分岐路または前記第２分岐路への進行を報知可能に構成され、
前記複数の報知装置のうちの第２報知装置は、前記第１分岐路を第３分岐路および第４分岐路に分岐する第２分岐点に配置され、前記被験者に対して前記第３分岐路または前記第４分岐路への進行を報知可能に構成され、
前記複数の報知装置のうちの第３報知装置は、前記第２分岐路を第５分岐路および第６分岐路に分岐する第３分岐点に配置され、前記被験者に対して前記第５分岐路または前記第６分岐路への進行を報知可能に構成され、
前記複数の経路は、前記第１分岐路ならびに前記第３分岐路を経由して目標地点に至る第１経路と、前記第１分岐路ならびに前記第４分岐路を経由して目標地点に至る第２経路と、前記第２分岐路ならびに前記第５分岐路を経由して目標地点に至る第３経路と、前記第２分岐路ならびに前記第６分岐路を経由して目標地点に至る第４経路とを含む、請求項１〜３のいずれか１項に記載の評価システム。
【請求項５】
前記指示部は、
前記被験者が前記出発地点から出発する前に、前記第１分岐路への進行を前記被験者に報知するように前記第１報知装置に指示し、
前記被験者が前記出発地点から出発したときに、前記第１分岐路への進行の報知から前記第２分岐路への進行の報知に変更させる指示、または、前記第１分岐路への進行の報知を維持させる指示を前記第１報知装置に与え、
前記第１分岐路への進行の報知から前記第２分岐路への進行の報知へ変更された場合、前記計測部は、前記第３経路の所要時間または前記第４経路の所要時間である第１所要時間を計測し、
前記第１分岐路への進行の報知が維持された場合、前記計測部は、前記第１経路の所要時間または前記第２経路の所要時間である第２所要時間を計測し、
前記評価部は、前記第１所要時間と前記第２所要時間との差分に基づいて、前記被験者の動作を評価する、請求項４に記載の評価システム。
【請求項６】
前記指示部は、前記第１分岐路への進行を前記被験者に報知させる指示を前記第１報知装置に与えるとともに、前記出発地点に戻るように前記被験者に報知させる指示を前記第２報知装置に与え、
前記計測部は、前記出発地点から、前記共通路、前記第１分岐路、前記共通路を順に経由して前記出発地点に到達するまでの第３所要時間を計測する、請求項４または５に記載の評価システム。
【請求項７】
前記計測部は、前記出発地点から、前記共通路、前記第１分岐路、前記共通路を順に経由して前記出発地点に到達するまでの経路を、前記被験者に対して予め通知した状態において、当該経路の第４所要時間を計測し、
前記評価部は、前記第３所要時間と前記第４所要時間との差分に基づいて、前記被験者の動作を評価する、請求項６に記載の評価システム。
【請求項８】
被験者の動作を評価するための評価装置であって、
前記評価装置は、前記被験者が出発地点から複数の目標地点にそれぞれ到達するまでの複数の経路上に存在する複数の分岐点にそれぞれ配置される複数の報知装置と通信可能に構成されており、
前記複数の経路のうちから１つの経路を選択する選択部と、
前記選択された経路に従って前記被験者が進行するように、前記複数の報知装置の各々に対して、当該報知装置が配置された分岐点から分岐する複数の分岐路のうちのいずれかの分岐路への進行を報知するように指示する指示部と、
前記出発地点から、前記選択された経路に対応する目標地点に到達するまでの所要時間を計測する計測部と、
前記計測部の計測結果に基づいて、前記被験者の動作を評価する評価部とを含む、評価装置。
【請求項９】
被験者の動作を評価するための評価方法であって、
前記被験者が出発地点から複数の目標地点にそれぞれ到達するまでの複数の経路のうちから１つの経路を選択するステップと、
前記選択された経路に従って前記被験者が進行するように、前記複数の経路上に存在する複数の分岐点にそれぞれ配置される複数の報知装置の各々に対して、当該報知装置が配置された分岐点から分岐する複数の分岐路のうちのいずれかの分岐路への進行を報知するステップと、
前記出発地点から、前記選択された経路に対応する目標地点に到達するまでの所要時間を計測するステップと、
前記計測するステップによる計測結果に基づいて、前記被験者の動作を評価するステップとを含む、評価方法。
【発明の詳細な説明】
【技術分野】
【０００１】
本開示は、評価システム、評価装置、および評価方法に関する。
【背景技術】
【０００２】
従来、運動機能の向上等に使用される装置として様々なものが知られている。例えば、特開２０１５−１３０３２号公報（特許文献１）は、運動支援装置を開示している。この運動支援装置は、訓練者の動作を検出する複数の検知手段と、訓練者に動作方向を矢印により案内するための表示手段と、表示手段に、基点とした検知手段から動作先の目的の検知手段への方向を示す矢印を表示すると共に、目的の検知手段が訓練者の動作を検出すると、目的の検知手段を次の基点として、次の目的の検知手段への方向を示す矢印を表示する制御手段とを備える。
【先行技術文献】
【特許文献】
【０００３】
【特許文献１】特開２０１５−１３０３２号公報
【発明の概要】
【発明が解決しようとする課題】
【０００４】
特許文献１では、訓練者に選択反応課題を連続的に提示することで、状況変化に反応する能力を向上させることを検討している。しかしながら、訓練者は、モニタ装置に表示された矢印に反応して、自身の周辺に設けられたスイッチを押下する動作を行なっているに過ぎない。そのため、相手の動きに対して反応するとともに全身を使った素早い動作が繰り返し要求される競技（例えば、サッカー等）において、その競技者の動作能力を精度よく評価することは難しく、改善の余地があると考えられる。
【０００５】
本開示のある局面における目的は、連続的な選択反応が求められる場合における被験者の動作をより精度よく評価することが可能な評価システム、評価装置、および評価方法を提供することである。
【課題を解決するための手段】
【０００６】
ある実施の形態に従うと、被験者の動作を評価するための評価システムが提供される。評価システムは、被験者が出発地点から複数の目標地点にそれぞれ到達するまでの複数の経路上に存在する複数の分岐点にそれぞれ配置される複数の報知装置と、複数の報知装置と通信可能に構成された評価装置とを備える。評価装置は、複数の経路のうちから１つの経路を選択する選択部と、選択された経路に従って被験者が進行するように、複数の報知装置の各々に対して、当該報知装置が配置された分岐点から分岐する複数の分岐路のうちのいずれかの分岐路への進行を報知するように指示する指示部と、出発地点から、選択された経路に対応する目標地点に到達するまでの所要時間を計測する計測部と、計測部の計測結果に基づいて、被験者の動作を評価する評価部とを含む。
【０００７】
好ましくは、計測部は、複数の経路の各々について、当該経路が被験者に対して予め通知されていない状態において当該経路の所要時間を計測し、複数の経路の各々について、当該経路が被験者に対して予め通知された状態において当該経路の所要時間を計測する。評価部は、予め通知されていない状態において計測された各経路の所要時間の平均値と、予め通知された状態において計測された各経路の所要時間の平均値との差分に基づいて、被験者の動作を評価する。
【０００８】
好ましくは、評価部は、複数の経路の各々の所要時間に基づいて、被験者が得意とする経路および不得意とする経路の少なくとも一方を判定する。
【０００９】
好ましくは、複数の報知装置のうちの第１報知装置は、出発地点を含む共通路を、第１分岐路および第２分岐路に分岐する第１分岐点に配置され、被験者に対して第１分岐路または第２分岐路への進行を報知可能に構成される。複数の報知装置のうちの第２報知装置は、第１分岐路を第３分岐路および第４分岐路に分岐する第２分岐点に配置され、被験者に対して第３分岐路または第４分岐路への進行を報知可能に構成される。複数の報知装置のうちの第３報知装置は、第２分岐路を第５分岐路および第６分岐路に分岐する第３分岐点に配置され、被験者に対して第５分岐路または第６分岐路への進行を報知可能に構成される。複数の経路は、第１分岐路ならびに第３分岐路を経由して目標地点に至る第１経路と、第１分岐路ならびに第４分岐路を経由して目標地点に至る第２経路と、第２分岐路ならびに第５分岐路を経由して目標地点に至る第３経路と、第２分岐路ならびに第６分岐路を経由して目標地点に至る第４経路とを含む。
【００１０】
好ましくは、指示部は、被験者が出発地点から出発する前に、第１分岐路への進行を被験者に報知するように第１報知装置に指示し、被験者が出発地点から出発したときに、第１分岐路への進行の報知から第２分岐路への進行の報知に変更させる指示、または、第１分岐路への進行の報知を維持させる指示を第１報知装置に与える。第１分岐路への進行の報知から第２分岐路への進行の報知へ変更された場合、計測部は、第３経路の所要時間または第４経路の所要時間である第１所要時間を計測する。第１分岐路への進行の報知が維持された場合、計測部は、第１経路の所要時間または第２経路の所要時間である第２所要時間を計測する。評価部は、第１所要時間と第２所要時間との差分に基づいて、被験者の動作を評価する。
【００１１】
好ましくは、指示部は、第１分岐路への進行を被験者に報知させる指示を第１報知装置に与えるとともに、出発地点に戻るように被験者に報知させる指示を第２報知装置に与える。計測部は、出発地点から、共通路、第１分岐路、共通路を順に経由して出発地点に到達するまでの第３所要時間を計測する。
【００１２】
好ましくは、計測部は、出発地点から、共通路、第１分岐路、共通路を順に経由して出発地点に到達するまでの経路を、被験者に対して予め通知した状態において、当該経路の第４所要時間を計測する。評価部は、第３所要時間と第４所要時間との差分に基づいて、被験者の動作を評価する。
【００１３】
他の実施の形態に従うと、被験者の動作を評価するための評価装置が提供される。評価装置は、被験者が出発地点から複数の目標地点にそれぞれ到達するまでの複数の経路上に存在する複数の分岐点にそれぞれ配置される複数の報知装置と通信可能に構成されている。評価装置は、複数の経路のうちから１つの経路を選択する選択部と、選択された経路に従って被験者が進行するように、複数の報知装置の各々に対して、当該報知装置が配置された分岐点から分岐する複数の分岐路のうちのいずれかの分岐路への進行を報知するように指示する指示部と、出発地点から、選択された経路に対応する目標地点に到達するまでの所要時間を計測する計測部と、計測部の計測結果に基づいて、被験者の動作を評価する評価部とを含む。
【００１４】
さらに他の実施の形態に従うと、被験者の動作を評価するための評価方法が提供される。評価方法は、被験者が出発地点から複数の目標地点にそれぞれ到達するまでの複数の経路のうちから１つの経路を選択するステップと、選択された経路に従って被験者が進行するように、複数の経路上に存在する複数の分岐点にそれぞれ配置される複数の報知装置の各々に対して、当該報知装置が配置された分岐点から分岐する複数の分岐路のうちのいずれかの分岐路への進行を報知するステップと、出発地点から、選択された経路に対応する目標地点に到達するまでの所要時間を計測するステップと、計測するステップによる計測結果に基づいて、被験者の動作を評価するステップとを含む。
【発明の効果】
【００１５】
本開示によると、連続的な選択反応が求められる場合における被験者の動作をより精度よく評価することが可能となる。
【図面の簡単な説明】
【００１６】
【図１】評価システムの全体構成を説明するためのブロック図である。
【図２】報知装置の外観の一例を示す図である。
【図３】報知装置、受光器および発光器の配置方式の一例を説明するための図である。
【図４】評価装置のハードウェア構成を示すブロック図である。
【図５】評価方式（その１）に従う計測結果を示す図である。
【図６】評価方式（その２）に従う計測結果を示す図である。
【図７】評価方式（その３）に従う計測結果を示す図である。
【図８】評価方式（その４）を説明するための図である。
【図９】評価方式（その４）に従う計測結果を示す図である。
【図１０】評価装置の機能ブロック図である。
【図１１】評価装置の処理手順の一例を示すフローチャートである。
【発明を実施するための形態】
【００１７】
以下に、本発明の実施の形態について説明する。なお、同一または相当する部分に同一の参照符号を付し、その説明を繰返さない場合がある。
【００１８】
なお、以下に説明する実施の形態において、個数、量などに言及する場合、特に記載がある場合を除き、本発明の範囲は必ずしもその個数、量などに限定されない。また、以下の実施の形態において、各々の構成要素は、特に記載がある場合を除き、本発明にとって必ずしも必須のものではない。
【００１９】
＜システムの構成＞
図１は、評価システムの全体構成を説明するためのブロック図である。図１を参照して、評価システム１０００は、被験者の動作を評価するためのシステムである。具体的には、評価システム１０００は、評価装置１０と、報知装置２０Ａ，２０Ｂ，２０Ｃと、発光器３０Ａ，３０Ｂ，３０Ｃと、受光器３２Ａ，３２Ｂ，３２Ｃとを含む。以下では、報知装置２０Ａ〜２０Ｃの各々に共通の構成や機能を説明する際には、それらを「報知装置２０」と総称する。発光器３０Ａ〜３０Ｃの各々に共通の構成や機能を説明する際には、それらを「発光器３０」と総称する。受光器３２Ａ，３２Ｂ，３２Ｃの各々に共通の構成や機能を説明する際には、それらを「受光器３２」と総称する。
【００２０】
評価装置１０は、Ｂｌｕｅｔｏｏｔｈ（登録商標）、無線ＬＡＮ（Local  Area  Network）、赤外線通信などの無線通信を利用して報知装置２０および受光器３２と通信する。なお、評価装置１０は、ＵＳＢ（Universal  Serial  Bus）などの有線通信を利用して報知装置２０および受光器３２と通信可能に構成されていてもよい。
【００２１】
評価装置１０は、例えば、スマートフォンで構成される。ただし、評価装置１０は、種類を問わず任意の装置として実現できる。例えば、評価装置１０は、ノートＰＣ（personal  Computer）、タブレット端末、ＰＤＡ（Personal  Digital  Assistance）、デスクトップＰＣなどの機器であってもよい。
【００２２】
図２は、報知装置の外観の一例を示す図である。図２を参照して、報知装置２０は、三脚２０２と、三脚２０２に取り付けられた光源機器２０４とを含む。光源機器２０４は、３つの光源（例えば、ＬＥＤ（light emitting diode）光源）が設けられている。光源機器２０４は、通信インターフェイス（図示しない）を介して受信した評価装置１０からの指示（例えば、制御信号）に従って、３つの光源の点灯および消灯を制御する。
【００２３】
図３は、報知装置、受光器および発光器の配置方式の一例を説明するための図である。図３を参照して、複数の分岐点Ｐ１〜Ｐ３は、被験者が出発地点（スタート地点）Ｐｓから複数の目標地点（ゴール地点）Ｐｇ１〜Ｐｇ４にそれぞれ到達するまでの複数の経路Ｒ１〜Ｒ４上のいずれかに存在する。具体的には、分岐点Ｐ１は、スタート地点Ｐｓを含む共通路６０を分岐路６１および分岐路６２に分岐する。分岐点Ｐ２は、分岐路６１を分岐路６３および分岐路６４に分岐する。分岐点Ｐ３は、分岐路６２を分岐路６５および分岐路６６に分岐する。
【００２４】
発光器３０Ａは、スタート地点Ｐｓを通過する被験者に交差するように光を出射する。受光器３２Ａは、発光器３０Ａからの光を受けるように発光器３０Ａと対向配置される。発光器３０Ｂは、ゴール地点Ｐｇ１，Ｐｇ２を通過する被験者に交差するように光を出射する。受光器３２Ｂは、発光器３０Ｂからの光を受けるように発光器３０Ｂと対向配置される。発光器３０Ｃは、ゴール地点Ｐｇ３，Ｐｇ４を通過する被験者に交差するように光を出射する。受光器３２Ｃは、発光器３０Ｃからの光を受けるように発光器３０Ｃと対向配置される。
【００２５】
受光器３２は、受けた光の強度に応じた電気信号を評価装置１０に出力（送信）する。具体的には、受光器３２は、対向配置される発光器３０からの光を受光した場合にはＯＮレベルの電気信号を出力する。一方、発光器３０からの光が、被験者によって遮断された場合には、ＯＦＦレベルの電気信号を出力する。
【００２６】
評価装置１０は、受光器３２Ａから受信した電気信号に基づいて、被験者がスタート地点Ｐｓを通過した時刻（タイミング）を算出できる。また、評価装置１０は、受光器３２Ｂから受信した電気信号に基づいて、被験者がゴール地点Ｐｇ１またはＰｇ２を通過した時刻を算出でき、受光器３２Ｃから受信した電気信号に基づいて、被験者がゴール地点Ｐｇ３またはＰｇ４を通過した時刻を算出できる。
【００２７】
スタート地点Ｐｓから分岐点Ｐ１までの距離（すなわち、共通路６０の長さ）は、例えば、１．５ｍである。分岐点Ｐ１から分岐点Ｐ２までの距離（すなわち、分岐路６１の長さ）、および分岐点Ｐ１から分岐点Ｐ３までの距離（すなわち、分岐路６２の長さ）、は、同一であり、例えば、３ｍである。分岐点Ｐ２からゴール地点Ｐｇ１までの距離（すなわち、分岐路６３の長さ）、および分岐点Ｐ２からゴール地点Ｐｇ２までの距離（すなわち、分岐路６４の長さ）、分岐点Ｐ３からゴール地点Ｐｇ３までの距離（すなわち、分岐路６５の長さ）、および分岐点Ｐ３からゴール地点Ｐｇ４までの距離（すなわち、分岐路６６の長さ）は、同一であり、例えば、３ｍである。
【００２８】
経路Ｒ１は、スタート地点Ｐｓから共通路６０、分岐路６１および分岐路６３を経由してゴール地点Ｐｇ１に至る経路である。経路Ｒ２は、スタート地点Ｐｓから共通路６０、分岐路６１および分岐路６４を経由してゴール地点Ｐｇ２に至る経路である。経路Ｒ３は、スタート地点Ｐｓから共通路６０、分岐路６２および分岐路６５を経由してゴール地点Ｐｇ３に至る経路である。経路Ｒ４は、スタート地点Ｐｓから共通路６０、分岐路６２および分岐路６６を経由してゴール地点Ｐｇ４に至る経路である。
【００２９】
複数の報知装置２０Ａ〜２０Ｃは、分岐点Ｐ１〜Ｐ３にそれぞれ配置される。各報知装置２０Ａ〜２０Ｃは、評価装置１０の指示に従って、各光源を点灯させる。報知装置２０Ａは、光源２１を点灯することにより分岐路６１への進行を報知し、光源２３を点灯することにより分岐路６２への進行を報知する。報知装置２０Ｂは、光源２４を点灯することにより分岐路６３への進行を報知し、光源２６を点灯することにより分岐路６４への進行を報知し、光源２５を点灯することによりスタート地点Ｐｓへの進行（すなわち、スタート地点Ｐｓに戻らせる旨）を報知する。報知装置２０Ｃは、光源２７を点灯することにより分岐路６５への進行を報知し、光源２９を点灯することにより分岐路６６への進行を報知し、光源２８を点灯することによりスタート地点Ｐｓへの進行を報知する。
【００３０】
典型的には、図３に示すように、複数の報知装置２０Ａ〜２０Ｃは、分岐点Ｐ１〜Ｐ３の近傍にそれぞれ配置される。報知装置２０Ａと分岐点Ｐ１との距離、報知装置２０Ｂと分岐点Ｐ２との距離、および報知装置２０Ｃと分岐点Ｐ３との距離は、同一であり、Ｄ（例えば、１ｍ）に設定されている。
【００３１】
ここで、例えば、被験者による経路Ｒ１の所要時間（すなわち、スタート地点Ｐｓからゴール地点Ｐｇ１に到達するまでの時間）を計測する場合を想定する。この場合、報知装置２０Ａは、被験者を分岐路６１に進行させるために光源２１を点灯する。報知装置２０Ｂは、被験者を分岐路６３に進行させるために光源２４を点灯する。
【００３２】
また、被験者の経路Ｒ２の所要時間を計測する場合には、報知装置２０Ａは光源２１を点灯し、報知装置２０Ｂは、被験者を分岐路６４に進行させるために光源２６を点灯する。被験者の経路Ｒ３の所要時間を計測する場合には、報知装置２０Ａは、被験者を分岐路６２に進行させるために光源２３を点灯し、報知装置２０Ｃは、被験者を分岐路６５に進行させるために光源２７を点灯する。被験者の経路Ｒ４の所要時間を計測する場合には、報知装置２０Ａは光源２３を点灯し、報知装置２０Ｃは、被験者を分岐路６６に進行させるために光源２９を点灯する。なお、被験者は、各光源の点灯状態に応じて、どの方向（分岐路）へ進めばよいのかを予め把握している。
【００３３】
＜ハードウェア構成＞
図４は、評価装置１０のハードウェア構成を示すブロック図である。図４を参照して、評価装置１０は、主たる構成要素として、プロセッサ１０２と、メモリ１０４と、タッチパネル１０６と、ボタン１０８と、ディスプレイ１１０と、無線通信部１１２と、通信アンテナ１１３と、メモリインターフェイス（Ｉ／Ｆ）１１４と、スピーカ１１６と、マイク１１８と、通信インターフェイス（Ｉ／Ｆ）１２０とを含む。また、記録媒体１１５は、外部の記憶媒体である。
【００３４】
プロセッサ１０２は、典型的には、ＣＰＵ（Central Processing Unit）やＭＰＵ（Multi Processing Unit）といった演算処理部である。プロセッサ１０２は、メモリ１０４に記憶されたプログラムを読み出して実行することで、評価装置１０の各部の動作を制御する。より詳細にはプロセッサ１０２は、当該プログラムを実行することによって、後述する評価装置１０の処理（ステップ）の各々を実現する。
【００３５】
メモリ１０４は、ＲＡＭ（Random  Access  Memory）、ＲＯＭ（Read-Only  Memory）、フラッシュメモリなどによって実現される。メモリ１０４は、プロセッサ１０２によって実行されるプログラム、またはプロセッサ１０２によって用いられるデータなどを記憶する。
【００３６】
タッチパネル１０６は、表示部としての機能を有するディスプレイ１１０上に設けられており、抵抗膜方式、静電容量方式などのいずれのタイプであってもよい。ボタン１０８は、評価装置１０の表面に配置されており、ユーザからの指示を受け付けて、プロセッサ１０２に当該指示を入力する。
【００３７】
無線通信部１１２は、通信アンテナ１１３を介して移動体通信網に接続し無線通信のための信号を送受信する。これにより、評価装置１０は、例えば、ＬＴＥ（Long  Term  Evolution）などの移動体通信網を介して所定の外部装置（例えば、外部サーバ）との通信が可能となる。
【００３８】
メモリインターフェイス（Ｉ／Ｆ）１１４は、外部の記録媒体１１５からデータを読み出す。プロセッサ１０２は、メモリインターフェイス１１４を介して外部の記録媒体１１５に格納されているデータを読み出して、当該データをメモリ１０４に格納する。プロセッサ１０２は、メモリ１０４からデータを読み出して、メモリインターフェイス１１４を介して当該データを外部の記録媒体１１５に格納する。
【００３９】
なお、記録媒体１１５としては、ＣＤ（Compact  Disc）、ＤＶＤ（Digital  Versatile  Disk）、ＢＤ（Blu-ray（登録商標）  Disc）、ＵＳＢ（Universal  Serial  Bus）メモリ、メモリカード、ＦＤ（Flexible  Disk）、ハードディスクなどの不揮発的にプログラムを格納する媒体が挙げられる。
【００４０】
スピーカ１１６は、プロセッサ１０２からの命令に基づいて音声を出力する。マイク１１８は、評価装置１０に対する発話を受け付ける。
【００４１】
通信インターフェイス（Ｉ／Ｆ）１２０は、例えば、報知装置２０および受光器３２とデータを通信するための通信インターフェイスであり、アダプタやコネクタなどによって実現される。通信方式としては、例えば、Ｂｌｕｅｔｏｏｔｈ（登録商標）、無線ＬＡＮなどによる無線通信あるいはＵＳＢを利用した有線通信である。
【００４２】
＜被験者の動作の評価＞
ここでは、本願発明者が鋭意検討の結果見い出した、連続的な選択反応が要求される際の動作を評価するための４つの評価方式について説明する。
【００４３】
（評価方式Ａ）
図３を参照しながら、評価方式Ａについて説明する。図３を参照して、まず、被験者に対して、選択反応が要求されない状態（すなわち、報知装置２０Ａ〜２０Ｃによる進行方向の報知がない状態）における経路Ｒ１〜Ｒ４の各々についての所要時間を計測する。例えば、被験者に対して経路Ｒ１の所要時間を計測することを予め通知しておき、この状態で被験者に経路Ｒ１を走行してもらう。経路Ｒ２〜Ｒ４についても同様に行なう。これにより、予め進行すべき経路が判っている状態の被験者における各経路Ｒ１〜Ｒ４の所要時間を計測することができる。
【００４４】
次に、被験者に対して、選択反応が要求される状態（すなわち、報知装置２０Ａ〜２０Ｃによる進行方向の報知がある状態）における経路Ｒ１〜Ｒ４の各々についての所要時間を計測する。被験者に対しては、どの経路で進行すべきであるかは予め通知されない。
【００４５】
評価装置１０は、４つの経路Ｒ１〜Ｒ４のうちから１つの経路をランダムに選択する。例えば、経路Ｒ２が選択された場合、報知装置２０Ａは光源２１を点灯し、報知装置２０Ｂは光源２６を点灯する。具体的には、評価装置１０は、被験者がスタート地点Ｐｓを通過したときに（時刻に）報知装置２０Ａに対して光源２１を点灯するように指示する。これにより、被験者はスタート地点Ｐｓを通過した段階で、分岐路６１に進行するという選択反応を求められる。
【００４６】
また、評価装置１０は、被験者がスタート地点Ｐｓを通過してから所定時間（例えば、１秒）経過後に、報知装置２０Ｂに対して光源２６を点灯するように指示する。これにより、被験者は分岐路６１を走行中に（すなわち、分岐点Ｐ２に到達する前に）、分岐路６４に進行するという選択反応を求められる。所定時間は、被験者の能力に応じて適宜変更されてもよい。なお、報知装置２０Ｂは、被験者がスタート地点Ｐｓを通過したタイミングで評価装置１０から指示を受け、当該タイミングから所定期間経過後に当該指示に従って光源２６を点灯する構成であってもよい。
【００４７】
上記によると、評価装置１０は、進行すべき経路が予め判っていない被験者における経路Ｒ２の所要時間を計測できる。また、経路Ｒ１，Ｒ３，Ｒ４の所要時間についても同様に計測できる。
【００４８】
図５は、評価方式Ａに従う計測結果を示す図である。図５を参照して、被験者Ｘ１〜Ｘ３についての計測結果が示されている。具体的には、進行すべき経路を予め通知しない場合（すなわち、報知装置２０による報知に従った選択反応を要求される場合）の各経路Ｒ１〜Ｒ４の所要時間の平均値Ｔａ１と、進行すべき経路を予め通知する場合（すなわち、報知装置２０による報知がなく、選択反応を要求されない場合）の各経路Ｒ１〜Ｒ４の所要時間の平均値Ｔａ２と、これらの所要時間差Ｔａ１２（＝Ｔａ１−Ｔａ２）とが示されている。評価方式Ａでは、所要時間差Ｔａ１２に基づいて被験者の動作の評価が行なわれる。
【００４９】
具体的には、進行すべき経路を被験者に予め通知しない状態で、経路Ｒ１〜Ｒ４の各々について、複数回（例えば、３回）の所要時間の計測を行なう。次に、経路Ｒ１〜Ｒ４の各々について、計測された３回分の所要時間の平均値（平均所要時間）を求める。そして、各経路Ｒ１〜Ｒ４の平均所要時間の平均値を求め、これを平均値Ｔａ１とする。同様に、進行すべき経路を被験者に予め通知した状態における、各経路Ｒ１〜Ｒ４の平均所要時間の平均値を求め、これを平均値Ｔａ２とする。
【００５０】
図５の計測結果によると、被験者Ｘ１〜Ｘ３ともに、平均値Ｔａ１よりも平均値Ｔａ２の方が短い。また、被験者Ｘ１の所要時間差Ｔ１２（０．３１秒）が最も小さく、被験者Ｘ３の所要時間差Ｔ１２（０．３７秒）が次に小さく、被験者Ｘ２の所要時間差Ｔ１２（０．４４秒）が最も大きい。このことから、被験者Ｘ１は、複数の分岐点における連続的な選択反応に要した時間（選択反応時間）が最も短く、被験者Ｘ２は当該選択反応時間が最も長いことがわかる。
【００５１】
この所要時間差Ｔａ１２を計測することにより、移動しながら連続的な選択反応を行なう動作能力を客観的に評価することができる。例えば、所要時間差Ｔａ１２の値に応じた３段階のレベルを作成したとする。具体的には、Ｔａ１２≦０．３０の場合には動作能力が高いことを示す「高」レベル、０．３０＜Ｔａ１２≦０．４０の場合には「中」レベル、０．４０＜Ｔａ１２の場合には動作能力が低いことを示す「低」レベルというルールを作成したとする。この場合、被験者Ｘ１，Ｘ３は「中」レベルと評価され、被験者Ｘ２は「低」レベルと評価される。
【００５２】
（評価方式Ｂ）
次に、進行方向に応じた選択反応の早さを評価するための評価方式Ｂについて説明する。である。図６は、評価方式Ｂに従う計測結果を示す図である。図６を参照して、被験者Ｘ１〜Ｘ３についての計測結果が示されている。具体的には、進行すべき経路を予め通知しない状態で、経路Ｒ１〜Ｒ４の各々について、複数回（例えば、３回）分の所要時間が計測される。図６には、経路Ｒ１〜Ｒ４の各々の所要時間の平均値（平均所要時間）が示されている。経路Ｒ１〜Ｒ４の平均所要時間は、それぞれＴｂ１〜Ｔｂ４で表されている。評価方式Ｂでは、平均所要時間Ｔｂ１〜Ｔｂ４に基づいて、被験者の動作が評価される。
【００５３】
具体的には、被験者Ｘ１の場合、平均所要時間Ｔｂ３（すなわち、１．９６秒）が最も短く、平均所要時間Ｔｂ４（すなわち、２．０２秒）が最も長い。そのため、被験者Ｘ１は、分岐点Ｐ１で右方向へ進み、次の分岐点Ｐ３で右方向に進む経路Ｒ３を得意とし、分岐点Ｐ１で右方向へ進み、次の分岐点Ｐ２で左方向に進む経路Ｒ４を不得意とすることがわかる。したがって、被験者Ｘ１は、「右」、「右」の連続的な選択反応レベルが最も高く、「右」、「左」の連続的な選択反応レベルが最も低いと評価される。
【００５４】
被験者Ｘ２は、経路Ｒ４を得意とし、分岐点Ｐ１で左方向へ進み、次の分岐点Ｐ２で左方向に進む経路Ｒ１を不得意とすることがわかる。したがって、被験者Ｘ２は、「右」、「左」の連続的な選択反応レベルが最も高く、「左」、「左」の連続的な選択反応レベルが最も低いと評価される。被験者Ｘ３は、経路Ｒ３を得意とし、分岐点Ｐ１で左方向へ進み、次の分岐点Ｐ２で右方向に進む経路Ｒ２を不得意とすることがわかる。したがって、被験者Ｘ３は、「右」、「右」の連続的な選択反応レベルが最も高く、「左」、「右」の連続的な選択反応レベルが最も低いと評価される。
【００５５】
（評価方式Ｃ）
評価方式Ｃは、被験者が想定している進行方向とは逆の進行方向を指示された場合の選択反応の早さを評価するための方式である。
【００５６】
図３を参照して、評価装置１０は、被験者がスタート地点Ｐｓから出発（スタート）する前から、報知装置２０Ａに対して、光源２１または光源２３を点灯するように指示しておく。これにより、スタート地点Ｐｓの手前に存在する被験者は、スタート前の時点において、分岐点Ｐ１でどの方向へ進めばよいのかを認識できる。ここでは、光源２１が点灯しており、被験者は分岐点Ｐ１で分岐路６１へ進めばよいと認識しているとする。
【００５７】
次に、評価装置１０は、被験者がスタート地点Ｐｓを通過すると、所定確率（例えば、２０％）で、報知装置２０Ａに対して光源２３を点灯するように指示する。この場合、被験者は、分岐点Ｐ１で分岐路６２へ進む必要がある。すなわち、被験者は、スタート前に認識していた方向（左方向）とは逆の方向（右方向）へ進む必要がある。そして、被験者は、分岐点Ｐ３で報知装置２０Ｃによる報知に従って分岐路６５または分岐路６６へ進み、ゴール地点に到達する。
【００５８】
上記のように、被験者がスタートする前に報知装置２０Ａにより報知されている進行方向が、被験者がスタート地点Ｐｓを通過すると、所定確率で他の進行方向に変更される条件を条件Ｋ１と定義する。すなわち、条件Ｋ１は、スタート前に先行報知される進行方向と、スタート地点Ｐｓ通過時点で報知される進行方向とが一致しない条件である。一方、被験者がスタートする前に報知装置２０Ａにより報知されている進行方向が、被験者がスタート地点Ｐｓを通過しても変更されない条件を条件Ｋ２と定義する。すなわち、条件Ｋ２は、スタート前に先行報知される進行方向と、スタート地点Ｐｓ通過時点で報知される進行方向とが一致する条件である。なお、条件Ｋ１が発生する確率（すなわち、所定確率）は、条件Ｋ２が発生する確率よりも低いものとする。
【００５９】
条件Ｋ１が発生する場合の報知装置２０Ａ〜２０Ｃの報知パターンは、例えば、スタート前において光源２１が点灯しており、スタート通過時点で光源２１が消灯するとともに光源２３が点灯し、光源２７が点灯するパターンが想定される。以下同様に、光源２１が点灯、光源２３が点灯（および光源２１が消灯）、光源２９が点灯のパターンと、光源２３が点灯、光源２１が点灯（および光源２３が消灯）、光源２４が点灯のパターンと、光源２３が点灯、光源２１が点灯（および光源２３が消灯）、光源２６が点灯のパターンとが条件Ｋ１が発生する場合の報知パターンとして想定される。
【００６０】
条件Ｋ２が発生する場合の報知装置２０Ａ〜２０Ｃの報知パターンは、例えば、スタート前において光源２１が点灯しており、スタート地点Ｐｓを通過しても光源２１の点灯が維持され、光源２４が点灯するパターンが想定される。以下同様に、光源２１が点灯し光源２６が点灯するパターン、光源２３が点灯し光源２７が点灯するパターン、および、光源２３が点灯し光源２９が点灯するパターンが条件Ｋ２が発生する場合の報知パターンとして想定される。
【００６１】
図７は、評価方式Ｃに従う計測結果を示す図である。図７の例では、各被験者Ｘ１〜Ｘ３について、条件Ｋ１が発生する場合の計測結果と、条件Ｋ２が発生する場合の計測結果とが示されている。具体的には、条件Ｋ１および条件Ｋ２を含む全２０回の計測が行なわれた。なお、条件Ｋ１および条件Ｋ２が、全２０回のうちのどの回に発生するのかについては各被験者Ｘ１〜Ｘ３には通知されない。本例では、条件Ｋ１が発生する場合の計測回数は、全２０回のうちの４回であり、条件Ｋ２が発生する場合の計測回数は、全２０回のうちの１６回である。すなわち、条件Ｋ１が発生する確率は、２０％である。
【００６２】
平均所要時間Ｔｃ１は、条件Ｋ１に対応する報知パターンで報知された場合の２回分の所要時間の平均値である。平均所要時間Ｔｃ２は、条件Ｋ２に対応する報知パターンで報知された場合の１６回分の所要時間の平均値である。所要時間差Ｔｃ１２は、平均所要時間Ｔｃ１と平均所要時間Ｔｃ２との差分である。評価方式Ｃでは、所要時間差Ｔｃ１２に基づいて、被験者の動作が評価される。
【００６３】
具体的には、被験者Ｘ１〜Ｘ３ともに、平均所要時間Ｔｃ１よりも平均所要時間Ｔｃ２の方が短い。また、被験者Ｘ１の所要時間差Ｔｃ１２（すなわち、０．０６秒）が最も小さく、被験者Ｘ３の所要時間差Ｔｃ１２（すなわち、０．１３秒）が次に小さく、被験者Ｘ２の所要時間差Ｔｃ１２（すなわち、０．２６秒）が最も大きい。このことから、被験者Ｘ１は、自分が想定していた方向とは逆の方向を指示された場合の反応遅延時間が最も短く、被験者Ｘ２は当該遅延時間が最も長いことがわかる。
【００６４】
所要時間差Ｔｃ１２を計測することにより、自分が想定していた方向とは逆の方向への切り返し動作の能力を客観的に評価することができる。例えば、Ｔｃ１２≦０．１０の場合には「高」レベル、０．１０＜Ｔｃ１２≦０．２０の場合には「中」レベル、０．２０＜Ｔｃ１２の場合には「低」レベルというルールを作成したとする。この場合、被験者Ｘ１は「高」レベルと評価され（すなわち、反応遅延が短く動作能力が高い）、被験者Ｘ２は「低」レベルと評価され（すなわち、反応遅延が長く動作能力が低い）、被験者Ｘ３は「中」レベルと評価される。
【００６５】
（評価方式Ｄ）
図８は、評価方式Ｄを説明するための図である。なお、図８に示された、報知装置２０Ａ〜２０Ｃ、受光器３２Ａ〜３２Ｃおよび発光器３０Ａ〜３０Ｃの配置方式は、図３の当該配置方式と同一である。図８では、評価方式Ｄで用いられる経路Ｒ５および経路Ｒ６を図示している。
【００６６】
経路Ｒ５は、スタート地点Ｐｓから共通路６０、分岐路６１、および共通路６０を順に経由してスタート地点Ｐｓに引き返す（戻る）経路である。経路Ｒ６は、スタート地点Ｐｓから共通路６０、分岐路６２、および共通路６０を順に経由してスタート地点Ｐｓに戻る経路である。
【００６７】
被験者の経路Ｒ５の所要時間を計測する場合には、報知装置２０Ａは光源２１を点灯し、報知装置２０Ｂは、被験者をスタート地点Ｐｓへ戻らせるために光源２５を点灯する。具体的には、評価装置１０は、被験者がスタート地点Ｐｓを通過したときに報知装置２０Ａに対して光源２１を点灯するように指示し、被験者がスタート地点Ｐｓを通過してから所定時間経過後に、報知装置２０Ｂに対して光源２５を点灯するように指示する。これにより、被験者は分岐路６１を走行中に、スタート地点Ｐｓに戻るという選択反応を求められる。評価装置１０は、スタート地点Ｐｓをスタートしてから、スタート地点Ｐｓに戻るまでの時間を、経路Ｒ５の所要時間として計測する。
【００６８】
被験者の経路Ｒ６の所要時間を計測する場合には、報知装置２０Ａは光源２３を点灯し、報知装置２０Ｃは、被験者をスタート地点Ｐｓへ戻らせるために光源２８を点灯する。経路Ｒ６の所要時間についても同様に計測される。
【００６９】
評価方式Ｄについてより詳細に説明する。図３および図８を参照して、まず、被験者に対して、選択反応が要求されない状態における経路Ｒ１〜Ｒ６の各々についての所要時間を計測する。これにより、進行すべき経路が判っている状態の被験者における各経路Ｒ１〜Ｒ６の所要時間を計測することができる。
【００７０】
次に、被験者に対して、選択反応が要求される状態（すなわち、報知装置２０Ａ〜２０Ｃによる進行方向の報知がある状態）における経路Ｒ１〜Ｒ６の各々についての所要時間を計測する。被験者に対しては、どの経路で進行すべきであるかを予め通知されない。被験者は、評価装置１０によってランダムに選択された６つの経路Ｒ１〜Ｒ６のうちの１つの経路に従って進行する。
【００７１】
図９は、評価方式Ｄに従う計測結果を示す図である。図９を参照して、被験者Ｘ１〜Ｘ３についての計測結果が示されている。具体的には、進行すべき経路を予め通知しない場合の経路Ｒ５および経路Ｒ６の所要時間の平均値Ｔｄ１と、進行すべき経路を予め通知する場合の経路Ｒ５および経路Ｒ６の所要時間の平均値Ｔｄ２と、これらの所要時間差Ｔｄ１２（＝Ｔｄ１−Ｔｄ２）とが示されている。評価方式Ｄでは、所要時間差Ｔｄ１２に基づいて被験者の動作の評価が行なわれる。
【００７２】
具体的には、進行すべき経路を被験者に予め通知しない状態で、経路Ｒ５〜経路Ｒ６の各々について、複数回（例えば、３回）の所要時間の計測を行なう。次に、経路Ｒ５および経路Ｒ６の各々について、計測された３回分の所要時間の平均値（平均所要時間）を求める。そして、各経路Ｒ５および経路Ｒ６の平均所要時間の平均値を求め、これを平均値Ｔｄ１とする。同様に、進行すべき経路を被験者に予め通知した状態における各経路Ｒ５，Ｒ６の平均所要時間の平均値を求め、これを平均値Ｔｄ２とする。
【００７３】
図９の計測結果によると、被験者Ｘ１〜Ｘ３ともに、平均値Ｔｄ１よりも平均値Ｔｄ２の方が短い。また、被験者Ｘ３の所要時間差Ｔｄ１２（０．３２秒）が最も小さく、被験者Ｘ１の所要時間差Ｔｄ１２（０．３６秒）が次に小さく、被験者Ｘ３の所要時間差Ｔｄ１２（０．５７秒）が最も大きい。このことから、被験者Ｘ３は、前後に振られたときの選択反応時間が最も短く、被験者Ｘ２は当該選択反応時間が最も長いことがわかる。
【００７４】
所要時間差Ｔｄ１２を計測することにより、前後に振られたときの切り返し動作の能力を客観的に評価することができる。例えば、Ｔｄ１２≦０．３０の場合には「高」レベル、０．３０＜Ｔｄ１２≦０．４０の場合には「中」レベル、０．４０＜Ｔｄ１２の場合には「低」レベルというルールを作成したとする。この場合、被験者Ｘ１，Ｘ３は「中」レベルと評価され、被験者Ｘ２は「低」レベルと評価される。
【００７５】
＜機能構成＞
図１０は、評価装置１０の機能ブロック図である。図１０を参照して、評価装置１０は、主たる機能構成として、信号入力部１５２と、選択部１５４と、計測部１５６と、指示部１５８と、評価部１６０と、出力制御部１６２とを含む。これらは、基本的には、評価装置１０のプロセッサ１０２がメモリ１０４に格納されたプログラムを実行し、評価装置１０の構成要素へ指令を与えることなどによって実現される。すなわち、プロセッサ１０２は評価装置１０の動作全体を制御する制御部として機能する。なお、これらの機能構成の一部または全部は、ハードウェアで実現されていてもよい。
【００７６】
信号入力部１５２は、通信インターフェイス１２０を介して、受光器３２Ａ〜３２Ｃの各々から電気信号の入力を受け付ける（受信する）。
【００７７】
選択部１５４は、複数の経路（例えば、経路Ｒ１〜Ｒ６）のうちから１つの経路を選択する。具体的には、選択部１５４は、当該１つの経路をランダムに選択してもよいし、タッチパネル１０６を介してユーザにより指示された経路を選択してもよい。
【００７８】
計測部１５６は、選択部１５４により選択された経路と、信号入力部１５２により受け付けられた電気信号とに基づいて、スタート地点Ｐｓから、当該選択された経路に対応するゴール地点に到達するまでの所要時間を計測する。例えば、選択部１５４により経路Ｒ３が選択されているとする。この場合、計測部１５６は、受光器３２Ａから受信した電気信号に基づいて被験者がスタート地点Ｐｓを通過した時刻ｔ１を算出し、受光器３２Ｃから受信した電気信号に基づいて被験者がゴール地点Ｐｇ３を通過した時刻ｔ２を算出する。そして、計測部１５６は、時刻ｔ１から時刻ｔ２までの時間を、経路Ｒ３の所要時間として計測する。
【００７９】
指示部１５８は、選択部１５４により選択された経路に従って被験者が進行するように、被験者がスタート地点Ｐｓからスタートした後に複数の報知装置２０の各々に対して、当該報知装置２０が配置された分岐点から分岐する複数の分岐路のうちのいずれかの分岐路への進行を報知するように指示する。典型的には、指示部１５８は、当該指示に対応する制御信号を報知装置２０に送信する。
【００８０】
ここで、例えば、選択部１５４により経路Ｒ３が選択されているとする。この場合、指示部１５８は、経路Ｒ３に従って被験者が進行するように、被験者がスタート地点Ｐｓからスタートした直後に報知装置２０Ａに対して、当該報知装置２０Ａが配置された分岐点Ｐ１から分岐する複数の分岐路６１，６２のうちの分岐路６２への進行を報知するように指示する。また、指示部１５８は、被験者がスタート地点Ｐｓからスタートしてから所定時間経過後に報知装置２０Ｃに対して、当該報知装置２０Ｃが配置された分岐点Ｐ３から分岐する複数の分岐路６５，６６のうちの分岐路６５への進行を報知するように指示する。
【００８１】
評価部１６０は、計測部１５６の計測結果に基づいて、被験者の動作を評価する。評価部１６０は、上述した評価方式Ａ〜Ｄに従って当該評価を行なう。
【００８２】
評価方式Ａに従う場合を想定する。この場合、計測部１５６は、複数の経路Ｒ１〜Ｒ４の各々について、当該経路が被験者に対して予め通知されていない状態において当該経路の所要時間を計測する。また、計測部１５６は、複数の経路Ｒ１〜Ｒ４の各々について、当該経路が被験者に対して予め通知された状態において当該経路の所要時間を計測する。
【００８３】
評価部１６０は、予め通知されていない状態において計測された各経路Ｒ１〜Ｒ４の所要時間の平均値から、予め通知された状態において計測された各経路Ｒ１〜Ｒ４の所要時間の平均値を減算した差分に基づいて、被験者の動作を評価する。評価部１６０は、当該差分が短いほど、移動しながら連続的な選択反応を行なう動作能力が高いと評価する。
【００８４】
評価方式Ｂに従う場合を想定する。この場合、評価部１６０は、複数の経路Ｒ１〜Ｒ４の各々の所要時間に基づいて、被験者が得意とする経路および不得意とする経路の少なくとも一方を判定する。具体的には、評価部１６０は、各経路Ｒ１〜Ｒ４の所要時間のうち、最も短い所要時間に対応する経路を被験者が得意とする経路であると判定し、最も長い所要時間に対応する経路を被験者が不得意とする経路であると判定する。
【００８５】
評価方式Ｃに従う場合を想定する。この場合、例えば、指示部１５８は、被験者がスタート地点Ｐｓからスタートする前に、分岐路６１への進行を被験者に報知するように報知装置２０Ａに指示する。指示部１５８は、被験者がスタート地点Ｐｓからスタートしたときに、分岐路６１への進行の報知から分岐路６２への進行の報知に変更させる指示、または、分岐路６１への進行の報知を維持させる指示を報知装置２０Ａに与える。
【００８６】
分岐路６１への進行の報知から分岐路６２への進行の報知へ変更された場合、計測部１５６は、選択部１５４により選択された経路Ｒ３または経路Ｒ４の所要時間（すなわち、条件Ｋ１発生時の所要時間）を計測する。分岐路６１への進行の報知が維持された場合、計測部１５６は、選択部１５４により選択された経路Ｒ１または経路Ｒ２の所要時間（すなわち、条件Ｋ２発生時の所要時間）を計測する。評価部１６０は、条件Ｋ発生１時の所要時間から条件Ｋ２発生時の所要時間を減算した所要時間差に基づいて、被験者の動作を評価する。評価部１６０は、当該所要時間差が短いほど反応遅延時間が短く、自分が想定していた方向とは逆の方向への切り返し動作の能力が高いと評価する。
【００８７】
評価方式Ｄに従う場合を想定する。この場合、指示部１５８は、例えば、分岐路６１への進行を被験者に報知させる指示を報知装置２０Ａに与えるとともに、スタート地点Ｐｓに戻るように被験者に報知させる指示を報知装置２０Ｂに与える。計測部１５６は、スタート地点Ｐｓから、共通路６０、分岐路６１、共通路６０を順に経由してスタート地点Ｐｓに到達するまでの経路Ｒ５の所要時間を計測する。また、計測部１５６は、経路Ｒ５を被験者に対して予め通知した状態において、経路Ｒ５の所要時間を計測する。
【００８８】
評価部１６０は、予め通知されていない状態において計測された経路Ｒ５の所要時間から、予め通知された状態において計測された経路Ｒ５の所要時間を減算した所要時間差に基づいて、被験者の動作を評価する。評価部１６０は、当該所要時間差が短いほど、前後に振られたときの動作能力が高いと評価する。
【００８９】
出力制御部１６２は、計測部１５６の計測結果（例えば、図５，図６，図７，図９に示す計測結果）および評価部１６０の評価結果（例えば、評価レベル等）をディスプレイ１１０に表示させる。また、出力制御部１６２は、スピーカ１１６を介して、計測結果および評価結果を音声出力する構成であってもよい。
【００９０】
＜処理手順＞
図１１は、評価装置の処理手順の一例を示すフローチャートである。図１１中の各ステップは、主に、評価装置１０のプロセッサ１０２により実行される。
【００９１】
図１１を参照して、プロセッサ１０２は、タッチパネル１０６を介して受け付けたユーザの指示に従って、複数の経路から１つの経路を選択する（ステップＳ１０）。プロセッサ１０２は、選択された経路に従って被験者を進行させるように各報知装置２０に指示する（ステップＳ１２）。
【００９２】
プロセッサ１０２は、通信インターフェイス１２０を介して受光器３２から受信した電気信号に基づいて、選択された経路の所要時間を計測する（ステップＳ１４）。プロセッサ１０２は、被験者の動作を評価するために必要な計測が終了したか否かを判断する（ステップＳ１６）。当該計測が終了していない場合には（ステップＳ１６においてＮＯ）、プロセッサ１０２はステップＳ１０の処理に戻る。
【００９３】
当該計測が終了した場合には（ステップＳ１６においてＹＥＳ）、プロセッサ１０２は、計測結果に基づいて被験者の動作を評価する（ステップＳ１８）。続いて、プロセッサ１０２は、評価結果を表示して（ステップＳ２０）、処理を終了する。
【００９４】
＜利点＞
本実施の形態によると、連続的な選択反応を行ないつつ素早く移動していく際の動作能力を客観的に評価することができる。これにより、被験者は、連続的な切り返し動作の能力の優劣を把握できる。また、上記評価システム１０００を用いることにより、被験者は、サッカー等の対戦型スポーツにおいて必要とされる連続的な切り返し動作の能力を鍛えることができる。さらに、被験者は、連続的な切り返し動作における得意なパターン、不得意なパターンを把握できる。
【００９５】
＜その他の実施の形態＞
１）上述した実施の形態では、報知装置２０が光源を点灯させることにより被験者に進行方向を報知する構成について説明したが、当該構成に限られない。例えば、報知装置２０は、スピーカを介して進行方向を音声出力することにより当該報知を行なってもよいし、ディスプレイに進行方向を表示したり、何れかの進行方向をブロックするように動く選手映像を表示することにより当該報知を行なってもよい。すなわち、報知装置２０からの報知によって被験者が進行方向を瞬時に判断できるような報知方式であればよい。
【００９６】
２）上述した実施の形態では、分岐点Ｐ１〜Ｐ３を設ける構成について説明したが、当該構成に限られない。例えば、分岐点Ｐ２および分岐点Ｐ３の各々の先にさらに別の分岐点を設け、当該別の分岐点の先にゴール地点を設けてもよい。
【００９７】
３）上述した実施の形態では、１つの分岐点から２つの分岐路に分かれる構成について説明したが、当該構成に限られない。例えば、１つの分岐点から３つ以上の分岐路に分かれる構成であってもよい。この場合、被験者の瞬時の判断が難しくなりすぎないように適切な分岐路の数を設定することが好ましい。
【００９８】
４）コンピュータを機能させて、上述したような制御を実行させるプログラムを提供することもできる。このようなプログラムは、コンピュータに付属するフレキシブルディスク、ＣＤ−ＲＯＭ（Compact  Disk  Read  Only  Memory）、ＲＯＭ、ＲＡＭおよびメモリカードなどの一時的でないコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００９９】
プログラムは、コンピュータのオペレーティングシステム（ＯＳ）の一部として提供されるプログラムモジュールのうち、必要なモジュールを所定のタイミングで呼出して処理を実行させるものであってもよい。その場合、プログラム自体には上記モジュールが含まれずＯＳと協働して処理が実行される。このようなモジュールを含まないプログラムも、本実施の形態にかかるプログラムに含まれ得る。
【０１００】
また、本実施の形態にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本実施の形態にかかるプログラムに含まれ得る。
【０１０１】
５）上述の実施の形態として例示した構成は、本発明の構成の一例であり、別の公知の技術と組み合わせることも可能であるし、本発明の要旨を逸脱しない範囲で、一部を省略する等、変更して構成することも可能である。
【０１０２】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０１０３】
１０  評価装置、２０Ａ〜２０Ｃ  報知装置、２１〜２９  光源、３０Ａ〜３０Ｃ  発光器、３２Ａ〜３２Ｃ  受光器、６０  共通路、６１〜６６  分岐路、１０２  プロセッサ、１０４  メモリ、１０６  タッチパネル、１０８  ボタン、１１０  ディスプレイ、１１２  無線通信部、１１３  通信アンテナ、１１４  メモリインターフェイス、１１５  記録媒体、１１６  スピーカ、１１８  マイク、１２０  通信インターフェイス、１５２  信号入力部、１５４  選択部、１５６  計測部、１５８  指示部、１６０  評価部、１６２  出力制御部、２０２  三脚、２０４  光源機器、１０００  評価システム。
【図１】
2019025119.tif 000003
【図２】
2019025119.tif 000004
【図３】
2019025119.tif 000005
【図４】
2019025119.tif 000006
【図５】
2019025119.tif 000007
【図６】
2019025119.tif 000008
【図７】
2019025119.tif 000009
【図８】
2019025119.tif 000010
【図９】
2019025119.tif 000011
【図１０】
2019025119.tif 000012
【図１１】
2019025119.tif 000013